(57)【特許請求の範囲】
【請求項１】
パック本体が、平板状に形成されたプラスチック製の裏面シートと、前記裏面シート上に外周縁部が一体に接合され、収容空間が成型された透明プラスチック製の表面シートとからなり、
前記裏面シートと前記表面シートとの間に、商品カードが介装されており、
前記表面シートと前記商品カードとの間において、前記収容空間に物品が収容されており、
前記表面シートに、前記収容空間を跨ぐように破断線を入れてあり、
前記表面シートおよび前記商品カードが、前記裏面シート側に前記破断線を介して二つ折り可能であって、
前記商品カードには、前記商品カードを左右に分離することなく前記商品カードの前後端近くにまで延びる二つ折りするための切れ目が、前記表面シートの前記破断線と実質的に同一の平面形状で入っており、
前記表面シート、前記商品カードおよび前記裏面シートの三者を前記二つ折り状態にしたとき、前記表面シートが前記破断線で切り破られて、切り破られた前記表面シートの裂け目から前記収容空間内の前記物品を外部に取り出すことができ、かつ、前記裂け目から前記商品カードを前記表面シートおよび前記裏面シートの外側に抜き出せるようにしたことを特徴とするブリスターパック。
【請求項２】
パック本体が、平板状に形成されたプラスチック製の裏面シートと、前記裏面シート上に外周縁部が一体に接合され、収容空間が成型された透明プラスチック製の表面シートとからなり、
前記裏面シートと前記表面シートとの間に、商品カードが介装されており、
前記表面シートと前記商品カードとの間において、前記収容空間に物品が収容されており、
前記表面シートに、前記収容空間を跨ぐように破断線を入れてあり、
前記表面シートおよび前記商品カードが、前記裏面シート側に前記破断線を介して二つ折り可能であって、
前記商品カードには、前記商品カードを左右に分離することなく前記商品カードの前後端近くにまで延びる二つ折りするための切れ目が、前記表面シートの前記破断線と実質的に同一の平面形状で入っており、
前記裏面シートには、前記表面シート、前記商品カードおよび前記裏面シートを二つ折りするために、前記破断線および前記切れ目に対応するミシン目が入っており、
前記表面シート、前記商品カードおよび前記裏面シートの三者を前記二つ折り状態にしたとき、前記表面シートが前記破断線で切り破られて、切り破られた前記表面シートの裂け目から前記収容空間内の前記物品を外部に取り出すことができ、かつ、前記裂け目から前記商品カードを前記表面シートおよび前記裏面シートの外側に抜き出せるようにしたことを特徴とするブリスターパック。
【請求項３】
左右横長に形成された前記表面シートの中央には、前記収容空間のまわりに平面視で円弧形の凹みが形成されている請求項１又は２記載のブリスターパック。
【請求項４】
前記収容空間に収容される前記物品が、平面視で円形のコイン電池である請求項１又は２記載のブリスターパック。
【請求項５】
前記表面シートには、前記表面シートを左右に分断することなく前記表面シートの前後端近くにまで延びる前記破断線が入っている請求項１乃至４のいずれかに記載のブリスターパック。  
【発明の詳細な説明】
【技術分野】
【０００１】
本発明は、二つ折りすることで内部の物品が簡単に取り出せ、かつ包装資材の分別回収が可能なブリスターパックに関する。
【背景技術】
【０００２】
医薬品（錠剤）などのブリスターパックにおいて、平板状に形成されたプラスチック製の裏面シートと、立体形状に成形されたプラスチック製の表面シートとを上下に重ね、両シートの外周縁部をヒートシールし、裏面シートと表面シートとの間に物品を密封状に収容し、裏面シートを剥いで中身の物品を取り出す形態は、広く知られている。
【０００３】
特許文献１では、裏面シートを剥離するピール方式において、物品の収容空間から外れたパック本体の外周囲に切り込みを設け、この切り込みの形成箇所においてパック本体の外周囲を裏面シート側に折り曲げたのち、表面シートから裏面シートを剥離する仕様になっている。ここでは、前記切り込みが裏面シートの剥離性を確保する端諸になっている点が注目される。
【０００４】
特許文献２では、裏面シートと表面シートとの間に電池などの物品を封入した状態で裏面シートを裏面側に折り曲げると、表面シートの一部がこれに入れた破断線を介して破断され、これで表面シートから一部露出状態になった物品を取り出せるようになっている。これによれば、表裏面シートからなるパック本体と、物品が個別に納まる容器（成形シート１０と称している）と、物品とが個別に分別回収できる。
【０００５】
【特許文献１】実用新案登録第２５５４９４６号公報
【特許文献２】特開２００５−２４７３５８号公報
【発明の開示】
【発明が解決しようとする課題】
【０００６】
本発明では、商品の展示性を確保するために表裏面シート間に物品ごと商品カードが封入される形態を前提としながら、二つ折りすることで内部の物品が簡単に取り出せる形態としている。この点、特許文献１のブリスターパックには、広い面積を持つ商品カードを封入する形態が予測されていない。したがって、商品カードを含む分別回収が課題になっていない。特許文献１は、基本的にピール方式を踏襲しており、表面シートから裏面シートを剥離する作業を要する。
【０００７】
特許文献２には分別回収が課題として挙げられてはいる。しかし、特許文献２では、包装対象が電池のような重い物であるため、パック本体内に物品の収納容器（成形シート１０）を別に備えているだけであり、この収納容器が商品カードの機能を備えている訳ではない。却って、パック本体を二つ折りした物品取り出し作業において、パック本体から露出した前記収納容器の一部（鍔片１１と称している）をつかんで抜き出し、更にその収納容器から物品を取り出すのは面倒である。
【０００８】
そこで本発明の目的は、商品カードが内蔵された形態のブリスターパックにおいて、商品カードが邪魔にならずにパック本体から収納対象の物品がパック本体を二つ折りすることで簡単に取り出せるようにすることにある。
【０００９】
本発明の他の目的は、収納物品を取り出した後のパック本体と商品カードとが容易に分別回収できるブリスターパックを提供することにある。
【課題を解決するための手段】
【００１０】
本発明に係るブリスターパックは、パック本体１が、平板状に形成されたプラスチック製の裏面シート２と、裏面シート２上に外周縁部が一体に接合され、収容空間７が成型された透明プラスチック製の表面シート３とからなる。裏面シート２と表面シート３との間には、商品カード５が介装されており、表面シート３と商品カード５との間において、収容空間７に物品６が収容される。表面シート３には、収容空間７を跨ぐように破断線１０を入れてあり、表面シート３および商品カード５が、裏面シート２側に破断線１０を介して二つ折り可能である。商品カード５には、これを左右に分離することなく商品カード５の前後端近くにまで延びる二つ折りするための切れ目１１が、表面シート３の破断線１０と実質的に同一の平面形状で入っている。そして、表面シート３、商品カード５および裏面シート２の三者を前記二つ折り状態にしたとき、表面シート３が破断線１０で切り破られて、切り破られた表面シート３の裂け目１３から収容空間７内の物品６を外部に取り出すことができ、かつ、裂け目１３から商品カード５を表面シート３および裏面シート２の外側に抜き出せるようにしたことを特徴とする。
また、本発明に係るブリスターパックは、パック本体１が、平板状に形成されたプラスチック製の裏面シート２と、裏面シート２上に外周縁部が一体に接合され、収容空間７が成型された透明プラスチック製の表面シート３とからなる。裏面シート２と表面シート３との間には、商品カード５が介装されており、表面シート３と商品カード５との間において、収容空間７に物品６が収容される。表面シート３には、収容空間７を跨ぐように破断線１０を入れてあり、表面シート３および商品カード５が、裏面シート２側に破断線１０を介して二つ折り可能である。商品カード５には、これを左右に分離することなく商品カード５の前後端近くにまで延びる二つ折りするための切れ目１１が、表面シート３の破断線１０と実質的に同一の平面形状で入っている。裏面シート２には、表面シート３、商品カード５および裏面シート２を二つ折りするために、破断線１０および切れ目１１に対応するミシン目１２が入っている。そして、表面シート３、商品カード５および裏面シート２の三者を前記二つ折り状態にしたとき、表面シート３が破断線１０で切り破られて、切り破られた表面シート３の裂け目１３から収容空間７内の物品６を外部に取り出すことができ、かつ、裂け目１３から商品カード５を表面シート３および裏面シート２の外側に抜き出せるようにしたことを特徴とする。
【００１１】
具体的には、左右横長に形成された前記表面シート３の中央には、収容空間７のまわりに平面視で円弧形の凹み９が形成されている。この凹み９に収容される物品６としては、平面視で円形のコイン電池を代表例として挙げることができる。ここでのコイン電池とは、ボタン電池も含む概念である。
【００１２】
表面シート３には、これを左右に分断することなく表面シート３の前後端近くにまで延びる破断線１０が入っている。  
【発明の効果】
【００１３】
本発明のブリスターパックは、裏面シート２と表面シート３との間に商品カード５が介  装されているので、商品カード５を汚れ、破損、水濡れなどからよく保護できる。表品カード５は広い面積を持つものにして、商品の陳列効果を高めることができる。
【００１４】
本発明では、表面シート３に収容空間７を跨ぐ破断線１０が形成されている点が注目される。これによれば、パック本体１を二つ折りしたとき、表面シート３が破断線１０を介して切り破られるので、切り破られた表面シート３の裂け目１３から内部に収容の物品６を外部に難なく取り出すことができる。同様に、前記裂け目１３を利用して商品カード５をパック本体１から外側に抜き出せる。したがって、物品６を取り出した後の分別回収も容易に行える。
【００１５】
更に、商品カード５に切れ目１１が、裏面シート２にミシン目１２がそれぞれ入っていると、パック本体１を正規の位置で二つ折りでき、二つ折り作業が容易に行える。
【発明を実施するための最良の形態】
【００１６】
（実施例１）  図１ないし図６は、平面視において扁平な円形のコイン電池を包装対象とした本発明のブリスターパックの実施例１を示す。
【００１７】
これのパック本体１は、左右横長の四角形状に形成された平板状の透明プラスチック製の裏面シート２と、裏面シート２と同一形状寸法で裏面シート２上に外周縁部がヒートシールされて一体に接合された透明プラスチック製の表面シート３とからなる。
【００１８】
裏面シート２と表面シート３との間には、両シート２・３より一まわり小さく左右横長に形成された紙製の商品カード５が、両シート２・３にヒートシールされることなく、しかし前後左右方向へは不用意にズレ動くことなく介装されている。商品カード５の印刷面は、裏面シート２側および特に表面シート３側から視認できて商品広告機能を果たす。
【００１９】
表面シート３の中央には、物品６（コイン電池）の収容空間７が物品６の形状に合わせて一体に成型されており、表面シート３と商品カード５との間において収容空間７に物品６が収容される。具体的には、パック本体１の左右中心線を介して左右対称形とした半円弧形の凹み９を下向きに突出形成して、凹み９の下面が商品カード５で受け止められている。この凹み９で囲まれた空間が平面視で円形の収容空間７となっている。凹み９は、収容空間７の形状を保形しながら、収容空間７内での物品６の不用意なズレ動きを規制する。
【００２０】
パック本体１は、前後幅を６２mm、左右長さを９８mmに寸法設定した。両シート２・３の厚み寸法は0.２mmである。収容空間７の直径寸法は２0.４mmに設定し、これに直径２０mmのコイン電池を収容した。図において、符号８は本発明のブリスターパックを店頭販売する際に、陳列ケースのフックに吊り掛けるためのフック孔であり、裏面シート２、表面シート３および商品カード５の左右の一端側（使用時の上端側）にそれぞれ設けられている。
【００２１】
表面シート３には、収容空間７を跨ぐようにミシン目状の破断線１０が入っている。図示例の破断線１０は、収容空間７内の外周を半円形に迂回して前後方向へ直線状に延びており、破断線１０の前後端部１０ａが表面シート３の非シール部分において左右の一側方に向けてＬ字形状に延びている。これで、前後端部１０ａを含む破断線１０の全体は、平面視で中間に半円形部分を有するコ字形状を呈している。
【００２２】
商品カード５には、これを左右に分離することなく二つ折りするために、商品カード５の前後端近くにまで延びる切れ目１１が、表面シート３の前後端部１０ａを除いた破断線１０と実質的に同一の平面形状で入っている。
【００２３】
裏面シート２にも、表面シート３、商品カード５および裏面シート２を二つ折りするために、先の破断線１０および切れ目１１に対応するミシン目１２が直線状に入っている。
【００２４】
物品６（コイン電池）を取り出すには、一方の手で収容空間７ごと内部の物品６をつかんで、他方の手でパック本体１を裏面シート２側に破断線１０、切れ目１１およびミシン目１２を介して二つ折りする。これで表面シート３の中央部は破断線１０を介して切り破られ、切り破られた表面シート３の裂け目１３から物品６の一部（側面）が露出する。後は、前記裂け目１３から物品６を収容空間７の外側方へ抜き出せばよい。図６に示すようにパック本体１を二つ折りした状態で収容空間７を下向きにすれば物品７を滑り落とし取り出すこともできる。
【００２５】
商品カード５は、先の二つ折り状態において切れ目１１の半円形中間部が図５および図６に示すごとく舌片１５として起立状態で残る。したがって、物品６を取り出したのち、舌片１５をつかんで商品カード５の全体を表面シート３から引き摺り出せる。このとき、表面シート３の破断線１０は、前後端部１０ａ・１０ａまで破断しておけば、さらにスムーズに商品カード５を抜き出せることになる。
【００２６】
（実施例２）  図７は本発明の実施例２を示しており、この場合の表面シート３には、収容空間７の直上を通る破断線１０が収容空間７を左右に二分する状態で直線状に形成されている。この場合は、切り破られた裂け目１３を介して表面シート３の上面外側から物品６を抜き出すこともできる。この実施例２で示すように物品６は、収容空間７の外側にはみ出ない大きさであれば、収容空間７より小型であってもよい。
【００２７】
（実施例３）  図８は本発明の実施例３を示しており、この場合は先のミシン目１２が実施例１の破断線１０および切れ目１１と同一の形状で合致するように入れられており、その他の構成は先の実施例１と同様である。
【００２８】
（実施例４）  図９および図１０は本発明の実施例４を示しており、この場合は円形の収容空間７が上向きに突出形成されて前記凹み９が省略された形態になっている。その他の構成は先の実施例１と同様である。
【００２９】
（その他の実施態様例）  先の収容空間７は複数設けることができるし、ひとつの収容空間７にコイン電池その他の物品６が複数個収納されるようになっていてもよい。とくに、表面シート３に設けるべき破断線１０は、例えば断面Ｖ字形状のカット溝を入れた危険断面を有する線状に形成することにより、パック本体１を二つ折りしたときに、破断線１０で破断される形態でもよい。パック本体１は収容空間７の存在部分において二つ折り可能であれば足り、パック本体１の中央に収容空間７が設定されることに限らない。これに伴い表面シート３の破断線１０、商品カード５の切れ目１１、および裏面シート２のミシン目１２の形成箇所も、それぞれを対応させた状態を保ちながら収容空間７の設定位置に応じて適宜変更できる。
【図面の簡単な説明】
【００３０】
【図１】構成部材の分解斜視図
【図２】平面図
【図３】図２のＡ−Ａ線断面図
【図４】使用状態の斜視図
【図５】取り出し要領を説明する図
【図６】収納物品の別の取り出し要領を説明する断面図
【図７】実施例２の平面図
【図８】実施例３の平面図
【図９】実施例４の斜視図
【図１０】実施例４の要部の断面図
【符号の説明】
【００３１】
１  パック本体
２  裏面シート
３  表面シート
５  商品カード
６  物品
７  収容空間
８  フック孔
９  凹み
１０  破断線
１１  切れ目
１２  ミシン目
１３  裂け目
１５  舌片
【図１】
0004780606.tif 000002
【図２】
0004780606.tif 000003
【図３】
0004780606.tif 000004
【図４】
0004780606.tif 000005
【図５】
0004780606.tif 000006
【図６】
0004780606.tif 000007
【図７】
0004780606.tif 000008
【図８】
0004780606.tif 000009
【図９】
0004780606.tif 000010
【図１０】
0004780606.tif 000011